(57)【要約】      （修正有）【課題】市販公知のロケット花火を用いる害鳥獣撃退用のロケット花火発射装置において、前記ロケット花火を任意の方向へ直線的で安全に飛翔を可能とする。【解決手段】先端部と後端部が開放された鉄製直菅１を有し、該直菅最下面となる任意の位置にロケット花火導火線３３に点火する開放された着火口５を形成し、ロケット花火３０を挿入支持する後端部には火炎噴出を抑止する開閉具４を設置されたものと、前記着火口下方に構成された保持具１２に組み込まれた市販公知のライター８により点火する導火線着火装置Ｂ１を具備したことを特徴とするロケット花火発射装置。【選択図】図１
2014115066.tif 000002
【特許請求の範囲】
【請求項１】
先端部と後端部が開放された鉄製直菅を有し、該直菅最下面とする任意の位置にロケット花火導火線に点火する開放された着火口を形成し、ロケット花火を挿入保持する前記直菅後端部には火炎噴出を抑止する開閉具を設置したロケット花火発射菅と、前記着火口下部には前記着火口下方に構成された保持具に組み込まれた市販公知のライターにより点火する導火線着火装置を具備したことを特徴とするロケット花火発射装置。
【請求項２】
前記ロケット花火を挿入保持する前記直菅後端部から前記着火口までの距離と、前記ロケット花火を構成する柄の最後端から、前記ロケット花火導火線までの距離は略同等と成ることを特徴とする請求項１記載のロケット花火発射装置。
【請求項３】
前記直菅は直線的飛翔を担う鉄製で耐火性のロケット花火発射菅であり、発射時、前記直菅後端部に保持されたロケット花火の先端部が前記直菅から露出しないように前記直菅の全長を設定し、前記直菅後端部に設置された前記開閉具をロケット花火発射時に塞ぐことにより前記直菅の内部の圧力が増し飛翔距離の延長と直線的飛翔が可能となることを特徴とする請求項１又は請求項２記載のロケット花火発射装置。
【請求項４】
前記着火装置は、前記着火口下部に前記直菅に設置されたライター保持具に組み込まれ、前記ライターの点火装置の動作を利用し、前記着火装置は片手に保持された手指の圧力により前記ライターを点火作動し前記ロケット花火導火線に着火することを特徴とする請求項１記載のロケット花火発射装置。
【発明の詳細な説明】
【技術分野】
【０００１】  本発明は、飛翔花火又はロケット花火で農作物等被害防止のため鳥獣撃退用に使用するロケット花火発射装置に関するものである。
【背景技術】
【０００２】  田植え直後の圃場に降りるカモによる苗の被害、カラス等による果樹の被害が多発し、さらに、カラスはビニールハウスに穴を開けるなど農業に多大な被害を与えている。とくに野猿、猪、等の顕著な被害が報道され近年は熊の攻撃により人的被害も急増している。【０００３】  これらの課題を解決するため、特許文献１によれば、カラスや野猿などの害鳥獣から、農作物被害を軽減するロケット花火発射装置が提供されている。又特許文献２では、ロケット花火を用いる鳥獣撃退用の花火発射器において、ロケット花火を任意の方向へ安全に発射できるようにするロケット花火発射器が提案されている。
【特許文献１】登録実用新案第３１２４４８１号
【特許文献２】特開２００５−１２１２６８号
【発明の開示】
【発明が解決しようとする課題】
【０００４】  しかし、上記の特許文献１に記載されているピストル型の花火銃の場合、ロケット花火を筒中央部花火挿入口から装填し、さらに花火導火線を導火線保持部へ誘導するなど煩わしさが残り軍手等手袋をした状態ではさらに煩わしくなる。また導火線誘導後筒体に中空のカバーを筒先端から挿入し、などロケット花火に着火するまで作業が複雑で、又、雨の日や荒天の場合導火線が露出しているため着火不良が起きると言う課題がある。【０００５】  また  上記の特許文献２に記載されているロケット花火発射器の場合、任意の方向へ安全に発射できるとするものであるが、ロケット花火火薬部本体が露出しているため着火しても火炎噴出方向の精度が悪いことで直線的に飛ぶことは稀にもないことは周知のことである。また点火の際には漏斗状の中での作業は危険性があると思われ天候が雨天時のときなど、より安全性が求められる。【０００６】  本発明は上記課題を鑑みて、ロケット花火の装着及び、着火の容易性と安全性を考慮に入れ直線的に飛翔し目標着地点及び、中空点に到達させ破裂音で害鳥獣を撃退するロケット花火発射装置を提供することを目的とする。
【課題を解決するための手段】
【０００７】  （１）このような課題を解決するために先端部と後端部が開放された鉄製直菅を有し、該直菅最下面となる任意の位置にロケット花火導火線に点火する開放された着火口を形成し、ロケット花火を挿入支持する後端部には火炎噴出を抑止する開閉具を設置されたものと、前記着火口下方に構成された保持具に組み込まれた市販公知のライターにより点火する導火線着火装置を具備したことを特徴とするロケット花火発射装置である。【０００８】（２）前記ロケット花火を挿入支持する前記直菅後端部から前記着火口までの距離と、前記ロケット花火を構成する柄の最後端から前記ロケット花火導火線との距離は略同等となることを特徴とする（１）記載のロケット花火発射装置である。【０００９】（３）前記直菅は直線的飛翔を担うロケット花火発射菅であり、発射時前記直菅に支持されたロケット花火の先端部が前記直菅より露出することのないように前記直菅の全長を設定し、又前記直菅後端部に設置された前記開閉具をロケット花火発射時に塞ぐことにより前記直菅の内部の圧力が増し飛翔距離の延長と直線的飛翔が可能となることを特徴とする（１）又は（２）記載のロケット花火発射装置。【００１０】  （４）前記着火装置は、前記着火口下部に前記直菅に設置されたライター保持具に組み込まれ、前記ライターの点火装置の動作を利用し、前期着火装置は片手に把持された手指の圧力により前記ライターを点火作動し前記ロケット花火導火線に着火することを特徴とする（１）記載のロケット花火発射装置。
【発明の効果】
【００１１】  このように、ロケット花火直径と略同等以上の直径を持つ直菅を利用することにより次のような効果が示される。請求項１の発明は、例えば、カラスなどの害鳥に対しては他人のビニールハウス、農地等に隣接した状況では、発射されたロケット花火の落下地点、又、打ち込む場所が制限される。長尺直菅を使用することで任意の方向に直線的な飛翔が可能となる。【００１２】  請求項２の発明は、公知の破裂音の発するロケット花火であるその構成は、全長約２７０ｍｍ、後端から約１９０ｍｍの位置に導火線が設置されている、手作業による製作と思われるため構成部の精度が格個一定でなく、ロケット花火の全長の誤差は１０ｍｍ以内と認識される。よって前記直菅後端部から着火口までの距離が定められロケット花火導火線着火作業が短時間で行われるようになる。【００１３】  請求項３の発明は、前記直菅内に設置されたロケット花火先端から長手方向に長く設定されるほど直線的飛翔の確立が高まる。したがって、前記直菅全長は持ち運びを考慮に入れてロケット花火全長の略２倍程度と設定したことでも直線的飛翔が可能となる。さらに、雨天，荒天の場合等でもロケット花火は直菅内に支持又は、保持されているため雨水の浸入を抑止できることで天候に左右されることなく使用できる。【００１４】  請求項４の発明は、従来のロケット花火発射装置には自動着火の考え方は無かった。こうしたロケット花火による鳥獣害を追い払う作業は、必ず施設の外で行われ害鳥獣を見つけると同時にすばやい作業が必要となるため、手袋（軍手）を外し、ライターを取り出して着火する行動が時間的に間に合わなくなる。しかしながら本発明は手袋（軍手）を着けたまま瞬時に対応し行動でき簡単で安全に鳥獣を追い払うことが出来る。
【発明を実施するための最良の形態】
【００１５】  以下、本発明の実施形態によるロケット花火発射装置について図面を参照して説明する。なお、本発明の形態実施は、下記の実施形態に何ら限定されること無く、本発明の技術的範囲は、これに限定されるものではない。【００１６】  図１に示すのは、本発明に係る害鳥獣撃退用のロケット花火発射装置Ａ全体の断面図である。中空の直菅１となる鉄製の、又はステンレス製直菅１を有し、先端部２、後端部３は解放され、後端部３にはロケット花火挿入口３ａがあり、又、開閉具４が形成され、直菅１の任意の位置には導火線着火口５、及び、着火装置Ｂ１を具備し構成されている。【００１７】  直菅１は内径略９ｍｍ〜１６ｍｍが程よく導火線３２の位置が定めやすい。長さは基本花火本体が露出しない程度であるが直線的飛距離を望むため花火柄部３１（ロケット花火全長）のほぼ２倍が必要と思われる。主に使用するロケット花火３０は柄部３１の全長内の先端部に形成されており、全長約２７５ｍｍである。よって直菅１の長さは約５５０ｍｍと設定可能となる。又、ロケット花火３０柄部３１の後端から導火線３３までは約２００ｍｍで着火口５の形成は、直菅１の後端部３ａから約２００ｍｍ程度の範囲内で決められる。万が一、花火本体３０の変更があった場合は直菅１の変更が必要である。柄部３１が長い場合は切断することで問題はない。【００１８】  ロケット花火３０の発射手順を説明する。市販公知のロケット花火３０を直菅１の後端３ａの開閉具４を開け、又、開閉具４は磁力により開閉が行われる。後端３ａの開閉具４を開けロケット花火３０の柄部３１を上向きに挿入し、着火口５で導火線３３を確認しながら着火口５の近傍に設置された花火姿勢支持具６を通過し導火線３３を目視し花火柄部３１を閉じた開閉具３に当接させると導火線３３の位置が定まり発射可能となる。【００１９】  花火姿勢支持具はロケット花火３０本体より直菅１の直径が大きな場合（ロケット花火本体３０の直径は約９ｍｍ）等で花火本体３０が不安定な状態となるため図２では花火本体上部分を支持し、図３では花火本体を下部より支持し、花火姿勢支持具は直菅１の大きさにより上部６とし下部を７と選択することとなり、よって、花火上部姿勢支持具２つの方法どちらかを採用することによりロケット花火の姿勢が整い導火線３３が確実に着火口５の下方となる位置を定めることとなる。【００２０】  〔第一実施形態〕
次に着火装置Ｂ１の第一実施形態を説明する。着火装置Ｂ１は直菅１の下部に形成された着火装置Ｂ１本体をビス止め、あるいは、溶着等によりライター点火口と着火口５を相対する形で装着するが、第一実施形態で使用する点火具であるライター８はターボライターの使用として限定することになる。【００２１】  着火装置Ｂは  ライター保持具１１とライター設置具９で形成され、組み込まれたライター８とライター設置具１０との密着した部分にはライター８本体が着火動作のたび可動するため脱落防止用に滑り止め１３となるゴム等の弾性体を形成し、さらに、組み込まれたライター８本体の横移動により脱落等を防ぐ両側に挟むようにした把持部９が形成され、ライターカバー及び防風も兼ねる形で構成されている。ロケット花火着火装置Ｂ１の製作に要する材料は鉄製で強固なものが望ましい。【００２２】  図２は、ライター保持部１２を断面図としライター点火口８ａ部分を示したものである。保持部１２にライター蓋８ｂとライター本体８の点火口８ａを挟みライター蓋８ｂが固定されることを確認し、ここで本体８と蓋８ｂが離れすぎるとガスが噴出するので注意が必要である。把持部９はライター蓋８ｂを両側から押さえる形が良好であるがライターの種類に対応することが必要でライター蓋８ｂと接触する部分は出来るだけ薄く仕上げる必要がある。【００２３】  ライターを点火するには、ライター本体８を手指で直菅１後方に引く（図２参照）、この時ライター点火口８ａは固定されて動かない。この方法ではターボライター８が必須となるが着火時は時間的な余裕が無い場合が多いので簡単に操作が出来るターボライター８が望ましい。使用者が手で握れる把持部９は設置具１０に組み込まれ形成されライター８のブレを防ぎながら、直線的にライター８本体を持ち手の手前に引くことで容易に着火できる。【００２４】  したがって、直菅１に形成構成された着火装置Ｂ１は把持部９を手で握り拳銃の引き金を引く要領でしかも手袋をしたまま片手ですばやくロケット花火発射ができ該鳥獣を威嚇し追い払うことが容易となる。【００２５】  〔第二実施形態〕
形の異なるライター１８で、石油ストーブ、薪ストーブ等の着火に使用する流通量の多い公知で点火口に蓋が構成されてない点火部分の長い通常の炎を発するライター１８である。ロケット花火発射装置Ａに於ける第一実施形態と同様に直菅１の下方に形成された着火口５下方から点火する導火線着火装置Ｂ２第２の方法である。【００２６】  図４は、第二実施形態着火装置Ｂ２の斜視図である。直菅１の着火口５の下方に懸架した形で直菅１に第一実施形態同様にいずれも形成される材料は耐火性である鉄製の使用が望まれ着火装置Ｂ２は直菅１にビス止め、溶着設置されている。【００２７】  着火装置Ｂ２は、風防を兼ねた、楕円形の筒状を縦に２分割した形の様な懸架具１４と、ライターを保持する籠状保持具１５と、ライター１８により構成されている。懸架具１４は固定され、籠状保持具１５は懸架具１４とスライドする形で上下しライター１８の全長と着火口５と関連した位置を決めるもので、又、籠状保持具１５に形成される横移動１７に対応のスライドする構造でライター１８を固定する機能を持つ。【００２８】  上記の構成によるロケット花火発射装置Ａは直菅１を使用する第一実施形態と同様な操作を行い、使用者の手で把持部１４を握り手指の親指でライター１８の点火部１７を下方に押し下げることで着火し発射動作を行う。【００２９】  以上、本発明によるロケット花火発射装置Ａはロケット花火３０を用いて安全に着火されて発射される。本発明の一課題として任意の方向へ飛翔するものであるが、直菅１内に支持されたロケット花火３０の先端から長さのある直菅１内を直線誘導するように飛翔が行われるため直線的飛翔が可能となる。実験では無風状態で約５０ｍの先に到達可能となり害鳥獣を追い払うことができ、特に人的、及び、果樹等の被害が大きい野生の熊に対しては本発明のロケット花火発射装置Ａを使用すれば離れた位置から熊の頭上で破裂音が発することで被害を最小限に抑えることができる。【００３０】
【図面の簡単な説明】
【００３１】
【図１】本発明に係るロケット花火発射装置実施例を示す断面図である。
【図２】ロケット花火上部姿勢支持具
【図３】ロケット花火下部姿勢支持具
【図４】ロケット花火発射装置導火線着火装置第２実施例である。
【符号の説明】
【００３２】Ａ    ロケット花火発射装置
Ｂ１  ロケット花火発射装置第１実施形態着火装置
１    直菅
２    直菅先端部
３    直菅後端、３ａ  ロケット花火挿入口
４    後部開閉具
５    着火口
６    ロケット花火上部姿勢支持具
７    ロケット花火下部姿勢支持具
８    ライター（ターボライター）  ８ａ  点火口  ８ｂ  ライター蓋
９    把持部、ライターカバー
１０  ライター設置具
１１  取り付金具
１２  ライター保持具
１３  滑り止めゴム
Ｂ２  ロケット花火発射装置第２実施例導火線着火装置
１４  懸架具（半円形防風等ライターカバー）
１５  ライター籠状保持具
１６  ライター全長高低調節
１７  ライター横移動固定幅調節
１８  ライター本体
３０  ロケット花火本体
３１  ロケット花火柄部
３２  ロケット花火火薬
３３  ロケット花火導火線
【図１】
2014115066.tif 000003
2014115066.tif 000004
【図４】
2014115066.tif 000005
【手続補正書】
【提出日】平成25年2月28日(2013.2.28)
【手続補正２】
【補正対象書類名】図面
【補正対象項目名】全図
【補正方法】変更
【補正の内容】
【図１】
2014115066.tif 000006
【図２】
2014115066.tif 000007
【図３】
2014115066.tif 000008
【図４】
2014115066.tif 000009